(57)【要約】【課題】  スリム型光ディスクドライブの提供。【解決手段】  スピンドルモータと光ピックアップとを搭載するトレイと主制御ボードが設けられる下部ケースを含み、この下部ケースは、トレイの一側辺を摺動自在に支持する第１フレームと、トレイの他側辺を摺動自在に支持する第２フレームと、第１フレームと第２フレームより薄い板材よりなり、第１フレームと第２フレームとを連結するものであって、トレイ及び主制御ボードの下方に位置する第３フレームを含む。【選択図】  図２
2004185804.tif 000002
【特許請求の範囲】
【請求項１】
光ディスクを回転させるスピンドルモータと前記光ディスクの半径方向に摺動される光ピックアップが搭載されるトレイと、
前記トレイが摺動自在に設けられる下部ケースと、
前記下部ケースに設けられて光ディスクドライブの動作を制御する主制御ボードと、を含み、
前記下部ケースは、
前記トレイの一側辺を摺動自在に支持する第１フレームと、
前記トレイの他側辺を摺動自在に支持する第２フレームと、
前記第１フレーム及び第２フレームより薄い板材よりなり、前記第１フレーム及び第２フレームを連結するものであって、前記トレイ及び前記主制御ボードの下方に位置する第３フレームと、を含むスリム型光ディスクドライブ。
【請求項２】
前記主制御ボードは前記第１フレーム及び前記第２フレームに各々締結されることを特徴とする請求項１に記載のスリム型光ディスクドライブ。
【請求項３】
前記トレイが摺動されることによって柔軟に折り曲げられつつ前記光ピックアップを含んで前記トレイに設けられる電気部品と前記主制御ボードとを電気的に連結するＦＰＣをさらに含み、
前記ＦＰＣは、前記第３フレームに一部が固定されることを特徴とする請求項１に記載のスリム型光ディスクドライブ。
【請求項４】
前記第３フレームには屈曲強度を向上させるためにビード線が上方に突設されることを特徴とする請求項１に記載のスリム型光ディスクドライブ。
【請求項５】
前記フレームを連結するための組立て基準として、前記第１フレーム及び第２フレームには多数の基準ホールが形成され、前記第３フレームには前記基準ホールに結合される突出部が形成されたことを特徴とする請求項１に記載のスリム型光ディスクドライブ。
【発明の詳細な説明】
【技術分野】
【０００１】
本発明は光ディスクドライブに係り、特にノート型パソコンをはじめとする携帯型端末機に装着されるスリム型光ディスクドライブに関する。
【背景技術】
【０００２】
一般に、光ディスクドライブは、ＣＤまたはＤＶＤ等の光ディスクに／から情報を記録／再生する装置を言い、スリム型光ディスクドライブはノート型パソコンなどの携帯用端末機に使われるために非常に薄く製作された光ディスクドライブを言う。
【０００３】
図１は、従来のスリム型光ディスクドライブを示したものである。
【０００４】
図１を参照すれば、下部ケース１０にトレイ２０が摺動自在に設けられる。トレイ２０には光ディスクＤを回転させるスピンドルモータ３０と、回転される光ディスクＤの半径方向に摺動されつつ光ディスクＤにアクセスして情報を再生／記録する光ピックアップ５０が設けられる。下部ケース１０には光ディスクドライブの作動を制御する主制御ボード６０が設けられ、ＦＰＣ（ｆｌｅｘｉｂｌｅ  ｐｒｉｎｔｅｄ  ｃｉｒｃｕｉｔ）７０によりトレイ２０に設けられた光ピックアップ５０及びスピンドルモータ３０と連結される。ＦＰＣ７０はトレイ２０が摺動されることによって、トレイ２０と下部ケース１０間の空間で柔軟に畳まれるか伸ばされる。このためにＦＰＣ７０の一部は下部ケース１０に接着される。
【０００５】
ノート型パソコンのスリム化のためにはこれに内蔵されるスリム型光ディスクドライブを薄くする努力が行なわれねばならない。このために、図１に示されたスリム型光ディスクドライブではトレイ２０が下部ケース１０と相互干渉しない程度の最小限の間隔だけを置いて摺動されるべく、設けられる。
【０００６】
スリム型光ディスクドライブの厚さに影響を及ぼす重要な因子として、トレイ２０に搭載される光ピックアップ５０と、光ピックアップ５０を摺動させるためのモータ４０と、スピンドルモータ３０の大きさを挙げられる。もし、このような部品が大型化されれば、スリム型光ディスクドライブも厚くなるからである。
【０００７】
また、最近ではスリム型光ディスクドライブがＣＤ−ＲＯＭの再生機能以外にＣＤ−ＲＷの記録／再生機能やＤＶＤ再生機能を兼ねるなどその機能が多様化されている。この場合には多様な機能を受け入れるために光ピックアップ５０が厚くて大きくなり、主制御ボードにも多様な厚さの電気部品が装着されてスリム型光ディスクドライブが厚くなる一要因となる。
【発明の開示】
【発明が解決しようとする課題】
【０００８】
本発明は前記問題点を解決するために創出されたものであって、ノート型パソコンなど携帯型端末機のスリム化傾向に応じてこれに装着可能にスリム化されたスリム型光ディスクドライブを提供することにその目的がある。
【課題を解決するための手段】
【０００９】
前記目的を達成するための本発明のスリム型光ディスクドライブは、光ディスクを回転させるスピンドルモータと前記光ディスクの半径方向に摺動される光ピックアップとが搭載されるトレイと、前記トレイが摺動自在に設けられる下部ケースと、前記下部ケースに設けられて光ディスクドライブの動作を制御する主制御ボードと、を含み、前記下部ケースは、前記トレイの一側辺を摺動自在に支持する第１フレームと、前記トレイの他側辺を摺動自在に支持する第２フレームと、前記第１フレーム及び第２フレームより薄い板材よりなり、前記第１フレーム及び第２フレームを連結するものであって、前記トレイ及び前記主制御ボードの下方に位置する第３フレームと、を含む。
【００１０】
ここで、前記主制御ボードは前記第１フレーム及び前記第２フレームに各々締結されることが望ましい。
【００１１】
前記トレイが摺動されることによって柔軟に折り曲げられつつ前記光ピックアップを含んで前記トレイに設けられる電気部品と前記主制御ボードとを電気的に連結するＦＰＣは、前記第３フレームに一部が固定されることが望ましい。
【発明の効果】
【００１２】
本発明に係るスリム型光ディスクドライブによれば、次のような効果が得られる。
薄い第３フレームが備えられた下部ケースを使用することによって製品をスリム化でき、多機能製品の場合にも厚くなるのを防止または最小化できる。したがって、ノート型パソコンをはじめとしてスリム型光ディスクドライブを採用する携帯型端末機の小型、スリム化に相応できる。
【発明を実施するための最良の形態】
【００１３】
以下、添付した図面を参照しつつ本発明の望ましい実施例を詳細に説明する。
【００１４】
図２は、本発明に係るスリム型光ディスクドライブの一実施例を示す分解斜視図である。
【００１５】
図３ないし図５は、各々図２のＩ−Ｉ´、ＩＩ−ＩＩ´、ＩＩＩ−ＩＩＩ´の断面図である。
【００１６】
図２を参照すれば、第１フレーム２１０、第２フレーム２２０及び第３フレーム２３０を含む下部ケース２００と、トレイ１００、及び主制御ボード１６０が示されている。
【００１７】
図３を参照すれば、第１フレーム２１０及び第２フレーム２２０には“Ｕ字”形状の第１レール２４０が各々固定される。第１レール２４０の内側空間には再び“Ｕ字”形状の第２レール２５０が摺動自在に結合され、第２レール２５０の内側空間にはトレイ１００の両エッジ１０１、１０２が挿入される。このような構成により、トレイ１００がアンローディングされる時には、まず第２レール２５０がトレイ１００と共に第１レール２４０に沿って図面のＡ方向に摺動されて出てくる。アンローディングがある程度進むと、第２レール２５０は止め手段（図示せず）にかかってこれ以上摺動しない。この時からはトレイ１００のエッジ１０１、１０２が第２レール２５０に沿って図面のＡ方向に摺動され続ける。トレイ１００がＢ方向にローディングされる時には前記の逆順で作動され、場合に応じては第２レール２５０がトレイ１００と共に第１レール２４０内に先に摺動され、その後にトレイ１００が第２レール２５０内に摺動されて入ることもある。
【００１８】
第１レール２４０はポリアセタルなどのプラスチックより製作され、第２レール２５０は鉄やアルミニウムなどの板材を折り曲げて製作されうる。第１フレーム２１０及び第２フレーム２２０は約０．４ないし０．６ｍｍの板材を折り曲げて製作でき、本実施例では厚さ０．６ｍｍの板材を使用する。第１フレーム２１０及び第２フレーム２２０は同じ厚さの板材を使用することが望ましい。
【００１９】
第３フレーム２３０は第１フレーム２１０と第２フレーム２２０とを連結することによって、第１フレーム２１０及び第２フレーム２２０と共に下部ケース２００を形成する。第３フレーム２３０は第１フレーム２１０及び第２フレーム２２０より薄い板材を使用することが望ましい。本実施例では厚さ０．２ｍｍの板材を使用する。
【００２０】
第１フレーム２１０と第２フレーム２２０のエッジには第３フレーム２３０が置かれるように第３フレーム２３０の厚さだけ上方に段付けられて形成される載置部２１１、２２１が各々備えられる。第３フレーム２３０には上方に突出された多数の突出部２３１が形成される。載置部２１１、２２１には突出部２３１が挿入される基準ホール２１２、２２２が形成される。突出部２３１が基準ホール２１２、２２２に挿入されるべく第１フレーム２１０と第２フレーム２２０とを第３フレーム２３０に対向して置いてからスポット溶接を行えば、第１フレーム２１０、第２フレーム２２０及び第３フレーム２３０が連結されて下部ケース２００が形成される。第１フレーム２１０及び第２フレーム２２０に下方に突出された突出部を形成し、第３フレーム２３０に基準ホールを形成することも可能である（図示せず）。
【００２１】
トレイ１００にはスピンドルモータ１１０と、光ピックアップ１２０と、駆動モータ１３０とが設けられる。スピンドルモータ１１０は光ディスクＤを回転させるものであって、その回転軸にターンテーブル１１５が設けられている。光ディスクＤはターンテーブル１１５に置かれる。光ピックアップ１２０は光ディスクＤの半径方向に摺動されつつ光ディスクＤの記録面にアクセスして情報を記録／再生する。駆動モータ１３０は光ピックアップ１２０を摺動させる。
【００２２】
下部ケース２００には主制御ボード１６０が設けられる。主制御ボード１６０は光ディスクドライブの作動を全体的に制御するものであって、ＦＰＣ１８０を通じて光ピックアップ１２０、スピンドルモータ１１０、駆動モータ１３０を含んでトレイ１００に設けられる電気部品と電気的に連結される。
【００２３】
主制御ボード１６０は第１フレーム２１０と第２フレーム２２０とに各々締結されることが望ましい。図４を参照すれば、第１フレーム２１０と第２フレーム２２０には上方に突出された締結部２１３、２２３が各々形成され、締結部２１３、２２３にはねじ１７０を締結可能にナットが形成されている。主制御ボード１６０は締結部２１３、２２３に置かれた後に上方からねじ１７０を締結することによって下部ケース２００に固定される。主制御ボード１６０は約１ｍｍの厚さを有するＰＣＢに多数の電気部品が組立てられたものであって、第１フレーム２１０と第２フレーム２２０とに各々締結されることによって下部ケース２００の屈曲強度を補強できる。
【００２４】
ＦＰＣ１８０は、トレイ１００が摺動されることによって柔軟に折り曲げられつつ光ピックアップ１２０を含んでトレイ１００に設けられる電気部品と主制御ボード１６０を電気的に連結する。ＦＰＣ１８０は各々トレイ１００と主制御ボード１６０とに連結される第１連結部１８１と第２連結部１８２を有し、柔軟に畳まれる材質よりなる。本実施例のＦＰＣ１８０はＵ字状に形成され、その端部に各々第１連結部１８１と第２連結部１８２とが形成される。第１連結部１８１はトレイ１００に連結されるが、トレイ１００にはスピンドルモータ１１０、光ピックアップ１２０、駆動モータ１３０を含む電気部品と連結された第２ＰＣＢ（図示せず）があり、ここに第１連結部１８１が連結されうる。また、スピンドルモータ１１０に連結された第３ＰＣＢ（図示せず）に光ピックアップ１２０と駆動モータ１３０を含む電気部品が連結され、この第３ＰＣＢに第１連結部１８１が連結されうる。第２連結部１８２は主制御ボード１６０に備えられたコネクタ１６１に連結される。
【００２５】
ＦＰＣ１８０が動的に主制御ボード１６０とトレイ１００とを連結するためにはＦＰＣ１８０の一部が固定されねばならない。そうでなければトレイ１００の摺動時にＦＰＣ１８０がトレイ１００と下部ケース２００との間に自然に曲がりつつ入れず、下部ケース２００とトレイ１００との間に挟まってトレイ１００の摺動動作を妨害することになる。場合に応じては、ＦＰＣ１８０が裂けることもある。したがって、ＦＰＣ１８０は第２連結部１８２から若干離れた部分からＵ字状の折り曲げ部１８３までは両面テープなどの接着剤を使用して第３フレーム２３０に接着させる。
【００２６】
図５を参照すれば、トレイ１００がローディングされている状態で主制御ボード１６０はトレイ１００の下方に位置する。トレイ１００は主制御ボード１６０と干渉しないように主制御ボード１６０が占める高さだけ段付き１０５が形成されている。トレイ１００の下面は第３フレーム２３０の上面と干渉しないように間隔ｄ３を保つ。参照符号１６２及び１６３は主制御ボード１６０の上面に実装可能な部品の高さを示している。トレイ１００の先端部の中央部分では参照符号１６３で表された高さまで、両エッジには１６２で表された高さまで部品が実装されうる。
【００２７】
第３フレーム２３０には屈曲強度を補強するために上方に突出されたビード線２３５が形成されうる。ビード線２３５はトレイ１００との干渉や主制御ボード１６０の下側の部品実装空間を制約しない範囲内で形成されることが望ましい。図２から分かるように、本実施例では第３フレーム２３０の両エッジから内側に若干離隔された位置と、主制御ボード１６０とトレイ１００との間隔（図５のＣ）とを用いてＨ字状のビード線２３５を形成する。こうすれば、トレイ１００及び主制御ボード１６０との干渉を避けつつ第３フレーム２３０の屈曲強度を向上させうる。
【００２８】
これにより、このような構成によるスリム型光ディスクドライブの高さを検討する。
【００２９】
図６は、従来のスリム型光ディスクドライブを示す図１のＩＶ−ＩＶ´の断面図である。図６を参照すれば、トレイ２０は下部ケース１０と間隔ｄ１をおいて摺動される。また、主制御ボード６０の下面と下部ケース１０との間隔はｄ２である。この際、下部ケース１０の下面からトレイ２０の上面までの高さはＨ１である。
【００３０】
次いで、図５を参照すれば、本実施例に係るスリム型光ディスクドライブのトレイ１００は第３フレーム２３０と間隔ｄ３をおいて摺動され、主制御ボード１６０と第３フレーム２３０との間隔はｄ４である。この際、第３フレーム２３０の下面からトレイ１００の上面までの高さはＨ２である。
【００３１】
もし、Ｈ２がＨ１と同一であれば、ｄ３及びｄ４は各々ｄ１及びｄ２より下部ケース（図１の１０）の厚さＴ１と第３フレーム２３０の厚さＴ２との差Ｔ３だけさらに厚い。これは本実施例に係るスリム型光ディスクドライブでトレイ１００及び主制御ボード１６０と第３フレーム２３０との間隔を各々ｄ１及びｄ２にすれば、図１に示された従来のスリム型光ディスクドライブに比べてＴ３だけ低められるということを意味する。すなわち、本実施例に係るスリム型光ディスクドライブは図１に示された従来のスリム型光ディスクドライブよりＴ３だけスリム化しうる。例えば、下部ケース（図１の１０）の厚さＴ２を０．６ｍｍとし、第３フレーム２３０の厚さＴ１を０．２ｍｍとした場合には、高さを０．４ｍｍ低められうる。一般的にスリム型光ディスクドライブの厚さが１０ｍｍ内外であることを勘案すれば、０．４ｍｍを低められるということは非常に有利であるという意味である。
【００３２】
さらに他の側面から見ると、従来のスリム型光ディスクドライブと同じ高さであれば、Ｔ３だけさらに厚い部品を使用できるということを意味する。スリム型光ディスクドライブがＣＤ−ＲＯＭの再生機能以外にＣＤ−ＲＷの記録／再生機能やＤＶＤの再生機能を兼ねる場合には、光ピックアップが厚くて大きくなり、主制御ボードにも多様な厚さの電気部品が装着されてスリム型光ディスクドライブが厚くなる一要因となるということは既に説明した。
【００３３】
従来のスリム型光ディスクドライブのような構造で厚くしないためには下部ケースに図１に点線で表されたように貫通部を形成する方案を考慮しうる。しかし、この場合にはトレイを支持する下部ケースの強度が低下されて製品の安定性を阻害する要因となる。また、ＦＰＣを固定できずにトレイの摺動時にＦＰＣがトレイと下部ケース間に挟まるか、裂ける恐れがある。
【００３４】
しかし、本実施例に係るスリム型光ディスクドライブによれば、同じ高さである時、従来のスリム型光ディスクドライブに比べてＴ３だけの余裕があるので、この限度内では下部ケースに貫通部を形成する必要がない。したがって、前述したように下部ケースの強度低下やＦＰＣが裂ける等の問題が発生しない。もちろん、第３フレームが薄いので、部分的な強度低下は有り得るが、主制御ボードを第１フレームと第２フレームとに亙って組立てるか、ビード線を形成することによって強度低下を最小化しうる。
【００３５】
本発明は前記実施例及び図面に例示されたものにより限定されることではなく、特許請求の範囲内でさらに多くの変形及び変容例が可能なのはもちろんである。
【産業上の利用可能性】
【００３６】
本発明のスリム型光ディスクドライブはノート型パソコンなどの携帯型端末機に適用されうる。
【図面の簡単な説明】
【００３７】
【図１】従来のスリム型光ディスクドライブを示す平面図である。
【図２】本発明に係るスリム型光ディスクドライブの一実施例を示す斜視図である。
【図３】図２のＩＩ−ＩＩ´断面図である。
【図４】図２のＩ−Ｉ´断面図である。
【図５】図２のＩＩＩ−ＩＩＩ´断面図である。
【図６】図１のＩＶ−ＩＶ´断面図である。
【符号の説明】
【００３８】
１００        トレイ
１０１、１０２        エッジ
１１０        スピンドルモータ
１１５        ターンテーブル
１２０        光ピックアップ
１３０        駆動モータ
１６０        主制御ボード
１７０        ねじ
２００        下部ケース
２１０        第１フレーム
２１１、２２１        載置部
２１２、２２２        基準ホール
２１３、２２３        締結部
２２０        第２フレーム
２３０        第３フレーム
２３１        突出部
２４０        第１レール
２５０        第２レール
【図１】
2004185804.tif 000003
【図２】
2004185804.tif 000004
【図３】
2004185804.tif 000005
【図４】
2004185804.tif 000006
【図５】
2004185804.tif 000007
【図６】
2004185804.tif 000008